(57)【要約】【課題】装置が温まっていない場合であっても、記録紙１枚目の印字の最初の温度リップル最下点時において、局部的にトナー像の定着性が劣りにくくして定着性を向上させた画像形成装置を提供する。【解決手段】表面温度Ｔｒが所定の定着温度Ｔ１まで上昇していれば（Ｓ１０３でＹｅｓ）、プリンタコントローラ１１は、時間検出手段によりヒータ２９が作動してからヒートローラ２７の表面温度Ｔｒが所定の定着温度Ｔ１に達するまでの経過時間Ｌｒを検出する（Ｓ１０４）。次に、経過時間Ｌｒが予め設定された第１所定時間Ｌ１以上であれば（Ｓ１０５でＹｅｓ）、第２制御手段により第１所定時間Ｌ１経過後に予め設定された第２所定時間Ｌ２の間ヒータ２９を停止させ（Ｓ１０６）、第２所定時間Ｌ２経過後に予め設定された第３所定時間Ｌ３の間ヒータ２９を作動させる（Ｓ１０７）。次に、第３所定時間Ｌ３経過後にヒータ２９を停止させる（Ｓ１０８）。【選択図】図２
2009086461.tif 000002
【特許請求の範囲】
【請求項１】
記録紙を加熱及び加圧することにより前記記録紙に転写されたトナー像を定着させる画像形成装置であって、
ヒータを内蔵したヒートローラと、
前記ヒートローラの表面温度を検出する第１温度検出手段と、
前記検出された前記ヒートローラの表面温度が定着温度より低い場合に前記ヒータを作動させ、前記検出された前記ヒートローラの表面温度が前記定着温度より高い場合に前記ヒータを停止させることにより、前記ヒートローラの表面温度が前記定着温度に維持されるように制御する第１制御手段と、
前記ヒータが作動してから前記ヒートローラの表面温度が前記定着温度に達するまでの経過時間を検出する時間検出手段と、
前記検出された経過時間が第１所定時間以上である場合に、前記第１所定時間経過後に第２所定時間前記ヒータを停止させ、前記第２所定時間経過後に前記ヒータを作動させることにより、前記ヒートローラの表面温度が第１所定温度より低くなる前に前記ヒートローラの表面温度が上昇するように制御する第２制御手段とを備えた、画像形成装置。
【請求項２】
記録紙を加熱及び加圧することにより前記記録紙に転写されたトナー像を定着させる画像形成装置であって、
ヒータを内蔵したヒートローラと、
前記ヒートローラの表面温度を検出する第１温度検出手段と、
前記検出された前記ヒートローラの表面温度が定着温度より低い場合に前記ヒータを作動させ、前記検出された前記ヒートローラの表面温度が前記定着温度より高い場合に前記ヒータを停止させることにより、前記ヒートローラの表面温度が前記定着温度に維持されるように制御する第１制御手段と、
前記ヒートローラに接触して設置されるプレスローラと、
前記プレスローラの表面温度を検出する第２温度検出手段と、
前記検出された前記プレスローラの表面温度が第２所定温度以下である場合に、前記ヒータが作動してから前記ヒートローラの表面温度が前記定着温度に達した後に第２所定時間前記ヒータを停止させ、前記第２所定時間経過後に前記ヒータを作動させることにより、前記ヒートローラの表面温度が第１所定温度より低くなる前に前記ヒートローラの表面温度が上昇するように制御する第２制御手段とを備えた、画像形成装置。
【請求項３】
前記第２制御手段は、前記第２所定時間経過後に第３所定時間前記ヒータを作動させる、請求項１又は請求項２記載の画像形成装置。
【発明の詳細な説明】
【技術分野】
【０００１】
この発明は画像形成装置に関し、特に電子写真方式の画像形成装置に関するものである。
【背景技術】
【０００２】
電子写真方式の画像形成装置は、記録紙を加熱及び加圧することにより記録紙に転写されたトナー像を定着させる定着器を備えている。この定着器は、ヒートローラと、ヒートローラに加圧及び接触して対向するように設置されるプレスローラと、ヒートローラに内蔵されるヒータと、ヒートローラの表面に接触して設置される温度センサとを備えている。ヒータには例えばハロゲンランプが用いられる。トナー像の定着性を安定させるために、ヒートローラの表面温度が所定の定着温度に維持されるように、ヒータから熱が供給されてヒートローラの表面温度が制御されている。ヒートローラの表面温度の制御は、装置が温まっているか否か、記録紙１枚目の印字であるか否かに関わらず、単純なヒータのオン／オフ制御により行われている（例えば、特許文献１参照）。具体的には、温度センサによって検出されるヒートローラの表面温度が、上記定着温度より高くなれば、ヒータを停止させ、上記定着温度より低くなれば、ヒータを作動させる。よって、ヒートローラの表面温度は、定着温度を中心に上下する温度リップルを形成しながら定着温度に維持される。
【０００３】
【特許文献１】特開昭６０−５５３７２号公報
【発明の開示】
【発明が解決しようとする課題】
【０００４】
上記のような従来の画像形成装置では、装置が温まっていない場合の記録紙の１枚目の印字において、ヒートローラの表面温度についての最初の温度リップル最下点時に、トナー像の定着性の劣る部分が局部的に発生してしまう場合がある。装置が温まっていない場合は、記録紙やプレスローラに熱を奪われるからである。この現象は、例えば、ウォーミングアップ時間を短縮させるためにヒートローラの厚みを薄くする場合に、ヒートローラの厚みが薄くなればなる程顕著に表れる。ヒートローラの熱容量が小さくなってしまい、熱が奪われることによる温度低下が大きくなるからである。又、上記定着性の劣る部分を発生させないために、記録紙１枚目の定着性を安定させる定着条件に設定すれば、記録紙２枚目以降において過剰な熱をヒートローラに与えることになる。これは、記録紙のカールやしわの原因となり、省エネにも反する。尚、記録紙２枚目以降は、ヒートローラに接触して設置されるプレスローラが温まってくるため、温度リップル最下点時であっても定着性に問題はない。
【０００５】
この発明は、上記のような課題を解決するためになされたもので、装置が温まっていない場合であっても、記録紙１枚目の印字の最初の温度リップル最下点時において、局部的にトナー像の定着性が劣りにくくして定着性を向上させた画像形成装置を提供することを目的とする。
【課題を解決するための手段】
【０００６】
上記の目的を達成するために、第１の発明は、記録紙を加熱及び加圧することにより記録紙に転写されたトナー像を定着させる画像形成装置であって、ヒータを内蔵したヒートローラと、ヒートローラの表面温度を検出する第１温度検出手段と、検出されたヒートローラの表面温度が定着温度より低い場合にヒータを作動させ、検出されたヒートローラの表面温度が定着温度より高い場合にヒータを停止させることにより、ヒートローラの表面温度が定着温度に維持されるように制御する第１制御手段と、ヒータが作動してからヒートローラの表面温度が定着温度に達するまでの経過時間を検出する時間検出手段と、検出された経過時間が第１所定時間以上である場合に、第１所定時間経過後に第２所定時間ヒータを停止させ、第２所定時間経過後にヒータを作動させることにより、ヒートローラの表面温度が第１所定温度より低くなる前にヒートローラの表面温度が上昇するように制御する第２制御手段とを備えたものである。
【０００７】
このように構成すると、ヒートローラの表面温度の上昇時間から装置の温まり具合が判断される。そして、装置が温まっていない場合に、複写開始ボタンを押した後の最初の温度リップル最下点時におけるヒートローラの表面温度が上昇する。
【０００８】
第２の発明は、記録紙を加熱及び加圧することにより記録紙に転写されたトナー像を定着させる画像形成装置であって、ヒータを内蔵したヒートローラと、ヒートローラの表面温度を検出する第１温度検出手段と、検出されたヒートローラの表面温度が定着温度より低い場合にヒータを作動させ、検出されたヒートローラの表面温度が定着温度より高い場合にヒータを停止させることにより、ヒートローラの表面温度が定着温度に維持されるように制御する第１制御手段と、ヒートローラに接触して設置されるプレスローラと、プレスローラの表面温度を検出する第２温度検出手段と、検出されたプレスローラの表面温度が第２所定温度以下である場合に、ヒータが作動してからヒートローラの表面温度が定着温度に達した後に第２所定時間ヒータを停止させ、第２所定時間経過後にヒータを作動させることにより、ヒートローラの表面温度が第１所定温度より低くなる前にヒートローラの表面温度が上昇するように制御する第２制御手段とを備えたものである。
【０００９】
このように構成すると、プレスローラの表面温度から装置の温まり具合が判断される。そして、装置が温まっていない場合に、複写開始ボタンを押した後の最初の温度リップル最下点時におけるヒートローラの表面温度が上昇する。
【００１０】
第３の発明は、第１又は第２の発明の構成において、第２制御手段は、第２所定時間経過後に第３所定時間ヒータを作動させるものである。
【００１１】
このように構成すると、ヒートローラの表面温度が定着温度より高い状態で所定時間ヒータが作動する。
【発明の効果】
【００１２】
以上説明したように、第１の発明は、ヒートローラの表面温度の上昇時間から装置の温まり具合が判断される。そして、装置が温まっていない場合に、複写開始ボタンを押した後の最初の温度リップル最下点時におけるヒートローラの表面温度が上昇するため、装置が温まっていない場合の記録紙１枚目の印字において、上記最初の温度リップル最下点時に局部的にトナー像の定着性が劣ることを防止することができる。
【００１３】
第２の発明は、プレスローラの表面温度から装置の温まり具合が判断される。そして、装置が温まっていない場合に、複写開始ボタンを押した後の最初の温度リップル最下点時におけるヒートローラの表面温度が上昇するため、装置が温まっていない場合の記録紙１枚目の印字において、上記最初の温度リップル最下点時に局部的にトナー像の定着性が劣ることを防止することができる。
【００１４】
第３の発明は、第１又は第２の発明の効果に加えて、ヒートローラの表面温度が定着温度より高い状態で所定時間ヒータが作動するため、複写開始ボタンを押した後の最初の温度リップル最下点時のヒートローラの表面温度を確実に上昇させることができる。
【発明を実施するための最良の形態】
【００１５】
次に、発明の実施の形態について図を用いて説明する。
【００１６】
図１はこの発明の第１の実施の形態による画像形成装置の概略構成を示したブロック図である。
【００１７】
図１を参照して、例えばファクシミリやコピー機に組み込まれる画像形成装置１０は、感光ドラム１２と、記録紙搬送路を挟んで感光ドラム１２に接触して対向するように設置される転写ローラ１３と、それらの記録紙搬送方向下流側に設置される定着器１５と、感光ドラム１２の周囲に設置される現像器１４と、画像形成装置１０の各部を制御するプリンタコントローラ１１とを備えている。記録紙は記録紙搬送路に沿って、図示しない給紙カセットから転写ローラ１３を介して定着器１５へと１枚ずつ搬送される。
【００１８】
感光ドラム１２は、露光により帯電する感光体であり、図示しない駆動源により回転される。感光ドラム１２の周囲には、ブラシローラ式の帯電器である帯電ブラシ１６、露光部であるＬＥＤプリントヘッド１８、メモリ除去ブラシ１９が設置されている。帯電ブラシ１６には、帯電バイアス印加回路１７により所定のバイアス電圧が印加される。バイアス電圧が印加された帯電ブラシ１６は、回転しながら感光ドラム１２の外周面を一様に帯電させる。ＬＥＤプリントヘッド１８は、多数のＬＥＤを並設して構成され、入力された画像情報に基づいて感光ドラム１２の外周面に光を照射し、その外周面に画像情報に対応する静電潜像を形成する。メモリ除去ブラシ１９には、メモリ除去ブラシ電圧印加回路２０により所定のバイアス電圧が印加される。バイアス電圧が印加されたメモリ除去ブラシ１９は、転写後に感光ドラム１２の外周面に画像の輪郭に沿って残るトナー像を除去する。
【００１９】
転写ローラ１３は、感光ドラム１２の回転に追従して回転され、転写器として感光ドラム１２の外周面に形成されたトナー像を記録紙に転写する。転写ローラ１３には、転写バイアス印加回路２１により所定のバイアス電圧が印加される。転写ローラ１３と転写バイアス印加回路２１との間には、電流検出部２２が設置され、転写バイアス電圧印加時に流れる電流を検出し、プリンタコントローラ１１に信号が送られる。
【００２０】
現像器１４は、供給ローラ２３、現像ローラ２４及びブレード２５を備えている。供給ローラ２３は、トナーを収容した図示しないトナーケースからトナーを帯電させながら現像ローラ２４に供給する。現像ローラ２４は、供給ローラ２３と感光ドラム１２との間に双方に接触して設置され、感光ドラム１２へトナーを転移する。ブレード２５は、現像ローラ２４の外周面に弾性的に接触され、現像ローラ２４の外周面に付着したトナー層の層圧を均一にする。供給ローラ２３、現像ローラ２４及びブレード２５には、現像器バイアス印加回路２６により所定のバイアス電圧が印加される。
【００２１】
定着器１５は、ヒートローラ２７と、ヒートローラ２７に加圧及び接触して対向するように設置されるプレスローラ２８と、ヒートローラ２７に内蔵され、ヒートローラに熱を供給するヒータ２９とを備えている。ヒートローラ２７の表面には温度センサ３０が接触して設置され、プレスローラ２８の表面には温度センサ３２が接触して設置されている。ヒータ２９には例えばハロゲンランプが用いられる。ヒートローラ２７には、ヒータ作動回路３１が接続されており、プリンタコントローラ１１からの制御信号に基づいてヒータ作動回路３１が動作してヒータ２９が作動する。
【００２２】
プリンタコントローラ１１は、温度センサ３０の検知信号に基づいてヒータ作動回路３１を介してヒータ２９の作動／停止を制御し、ヒートローラ２７の表面温度が、トナー像の定着性が安定する所定の定着温度に維持されるようにする。具体的には、温度センサ３０によって検出されるヒートローラ２７の表面温度が、上記定着温度より高くなれば、ヒータ２９を停止させ、上記定着温度より低くなれば、ヒータ２９を作動させる。このとき、ヒートローラ２７の表面温度について定着温度を中心に上下する温度リップルが形成される。又、プリンタコントローラ１１は、温度センサ３２の検出信号に基づいて、プレスローラ２８の表面温度を検出する。
【００２３】
次に、複写開始ボタンが押された後のヒートローラ２７の表面温度制御について説明する。
【００２４】
図２はこの発明の第１の実施の形態におけるヒートローラの表面温度制御の内容を示したフローチャートである。
【００２５】
図２を参照して、使用者は画像形成装置１０が組み込まれたコピー機等の複写開始ボタンを押す（Ｓ１００）。次に、プリンタコントローラ１１は、ヒータ作動回路３１に信号を送信してヒータ２９を作動させる（Ｓ１０１）。次に、プリンタコントローラ１１は、第１温度検出手段により温度センサ３０からの信号を受信してヒートローラ２７の表面温度Ｔｒを検出する（Ｓ１０２）。次に、ステップＳ１０２で検出された表面温度Ｔｒが所定の定着温度Ｔ１まで上昇していれば、即ちＴｒ≧Ｔ１であれば（Ｓ１０３でＹｅｓ）、プリンタコントローラ１１は、時間検出手段によりヒータ２９が作動してからヒートローラ２７の表面温度Ｔｒが所定の定着温度Ｔ１に達するまでの経過時間Ｌｒを検出する（Ｓ１０４）。一方、ステップＳ１０２でＴｒ≧Ｔ１でなければ（Ｓ１０３でＮｏ）、表面温度Ｔｒが定着温度Ｔ１に上昇するまで（Ｓ１０３でＹｅｓ）、プリンタコントローラ１１は、温度センサ３０からの信号を受信して表面温度Ｔｒを検出する（Ｓ１０２）。定着温度Ｔ１は、トナー像の定着性が安定するように予め設定される所定のヒートローラ２７の表面温度である。
【００２６】
次に、ステップＳ１０４で検出された経過時間Ｌｒが予め設定された第１所定時間Ｌ１以上であれば、即ちＬｒ≧Ｌ１であれば（Ｓ１０５でＹｅｓ）、プリンタコントローラ１１は、第２制御手段により第１所定時間Ｌ１経過後に予め設定された第２所定時間Ｌ２の間ヒータ２９を停止させ（Ｓ１０６）、第２所定時間Ｌ２経過後に予め設定された第３所定時間Ｌ３の間ヒータ２９を作動させる（Ｓ１０７）。ここで、プリンタコントローラ１１は、表面温度Ｔｒが第１所定温度より低くなる前に表面温度Ｔｒが上昇するように制御している。上記第１所定温度は、複写開始ボタンを押下して記録紙１枚目の印字を行ったときに、定着性の劣る部分を発生させない温度である。次に、プリンタコントローラ１１は、第３所定時間Ｌ３経過後にヒータ２９を停止させる（Ｓ１０８）。次に、プリンタコントローラ１１は、第１制御手段により表面温度Ｔｒが定着温度Ｔ１より低くなるとヒータ２９を作動させ（Ｓ１０９）、表面温度Ｔｒが定着温度Ｔ１より高くなるとヒータ２９を停止させる（Ｓ１１０）。以降、ステップＳ１０９とステップＳ１１０とが交互に繰り返されてヒートローラ２７の表面温度Ｔｒが制御される。
【００２７】
ステップＳ１０５で、Ｌｒ≧Ｌ１でなければ（Ｓ１０５でＮｏ）、プリンタコントローラ１１は、ステップＳ１０４で検出された経過時間Ｌｒ経過後に第１制御手段によりヒータ２９を停止させる（Ｓ１０８）。次に、プリンタコントローラ１１は、ステップＳ１０５でＬｒ≧Ｌ１である場合と同様に、第１制御手段によりヒータ２９を制御する（Ｓ１０９、Ｓ１１０）。
【００２８】
ここで、上記第１所定時間Ｌ１は、Ｌ１以上であれば装置が温まっていないと判断される時間である。装置が温まっていないとは、ステップＳ１０９及びステップＳ１１０で示される従来からのヒータ２９制御のみの画像形成装置において、複写開始ボタンを押下して記録紙１枚目の印字を行ったときに、ヒートローラ２７の表面温度Ｔｒにおける最初の温度リップル最下点時に定着性の劣る部分が局部的に発生してしまう場合がある状態である。又、上記第２所定時間Ｌ２は、第１所定時間Ｌ１経過後から表面温度Ｔｒが再び定着温度Ｔ１に下降するまでの時間より短く設定されている。
【００２９】
次に、上述したヒートローラの表面温度制御におけるヒートローラの表面温度Ｔｒ、ヒータ及び記録紙の関係について説明する。
【００３０】
図３はヒートローラの表面温度Ｔｒ、ヒータ及び記録紙の関係を示したタイムチャートであって、図３Ａが図１で示した画像形成装置におけるタイムチャートであり、図３Ｂが従来の画像形成装置におけるタイムチャートである。
【００３１】
図３Ａを参照して、横軸には、複写開始ボタンが押されてからの経過時間が採られ、上段からヒートローラ２７の表面温度Ｔｒの変化、ヒータ２９の作動／停止状態、搬送される記録紙の位置が示されている。画像形成装置１０では、複写開始ボタンが押された後、ヒータ２９が第１所定期間Ｌ１の間作動して、ヒートローラ２７の表面温度Ｔｒは定着温度Ｔ１まで上昇している。第１所定期間Ｌ１経過後、ヒータ２９が第２所定期間Ｌ２の間停止して、表面温度Ｔｒは定着温度Ｔ１を超えて更に上昇し、最初の温度リップル最上点に到達した後下降し始める。第２所定期間Ｌ２経過後、即ち、表面温度Ｔｒが下降し始めて定着温度Ｔ１に到達する前に、ヒータ２９が作動している。ヒータ２９は第３所定期間Ｌ３の間作動して、表面温度Ｔｒは、最初の温度リップル最下点に到達した後上昇し始める。最初の温度リップル最下点時の表面温度Ｔｒは第１所定温度以上であり、２回目以降の温度リップル最下点時と比較して高くなっている。第３所定期間Ｌ３経過後にヒータ２９は停止して、表面温度Ｔｒは、更に上昇して２回目の温度リップル最上点に到達した後下降する。そして、表面温度Ｔｒが定着温度Ｔ１に下降するとヒータ２９が作動し、その後、表面温度Ｔｒが更に下降した後定着温度Ｔ１に上昇するとヒータ２９が停止する。以降、定着温度Ｔ１を中心とした表面温度Ｔｒの温度リップルが形成されている。１枚目の記録紙は、最初の温度リップル最下点時にヒートローラ２７を通過している。
【００３２】
図３Ｂを参照して、従来の画像形成装置では、複写開始ボタンが押された後、ヒータ２９が作動して、ヒートローラ２７の表面温度Ｔｒは定着温度Ｔ１まで上昇している。表面温度Ｔｒが定着温度Ｔ１に上昇するとヒータ２９が停止して、表面温度Ｔｒは定着温度Ｔ１を超えて更に上昇した後、最初の温度リップル最上点に到達して下降し始める。そして、表面温度Ｔｒが定着温度Ｔ１にまで下降するとヒータ２９が作動し、表面温度Ｔｒは定着温度Ｔ１を超えて更に下降した後、最初の温度リップル最下点に到達して上昇し始める。最初の温度リップル最下点時の表面温度Ｔｒは、２回目以降の温度リップル最下点時と比較して低くなっている。そして、表面温度Ｔｒが定着温度Ｔ１にまで上昇するとヒータ２９が停止する。その後、表面温度Ｔｒは更に上昇した後、２回目の温度リップル最上点に到達して下降する。そして、表面温度Ｔｒが定着温度Ｔ１に下降するとヒータ２９が作動し、その後、表面温度Ｔｒが更に下降した後定着温度Ｔ１に上昇するとヒータ２９が停止する。以降、定着温度Ｔ１を中心とした表面温度Ｔｒの温度リップルが形成されている。図３Ａで示した第１の実施の形態による画像形成装置１０の場合と同様に、１枚目の記録紙は、最初の温度リップル最下点時にヒートローラ２７を通過している。
【００３３】
従来の画像形成装置では、最初の温度リップル最下点時の表面温度Ｔｒが、２回目以降の温度リップル最下点より低くなっている。そのため、図３Ｂの斜線で示したように、装置が温まっていない場合に、記録紙１枚目の印字において、最初の温度リップル最下点時に定着性の劣る部分が局部的に発生してしまう場合がある。尚、記録紙２枚目以降は、ヒートローラに接触して設置されるプレスローラが温まってくるため、温度リップル最下点時であっても定着性に問題はない。
【００３４】
上記のようにヒートローラ２７の表面温度Ｔｒが制御される画像形成装置１０にあっては、複写開始ボタンが押された後、最初にヒータ２９が作動してから表面温度Ｔｒが定着温度Ｔ１になるまでの時間Ｌｒが、第１所定時間Ｌ１以上であれば、装置が温まっていないと判断される。そして、装置が温まっていない場合に、表面温度Ｔｒが定着温度Ｔ1より高い状態でヒータ２９が作動するため、複写開始ボタンを押した後の最初の温度リップル最下点時の表面温度Ｔｒを上昇させることができる。よって、装置が温まっていない場合の記録紙１枚目の印字において、上記最初の温度リップル最下点時に局部的にトナー像の定着性が劣ることを防止することができる。又、表面温度Ｔｒが定着温度Ｔ１より高い状態で所定時間ヒータ２９が作動するため、ヒータ２９がすぐに停止してしまうのを防止し、上記最初の温度リップル最下点時のヒートローラ２７の表面温度Ｔｒを確実に上昇させることができる。
【００３５】
図４はこの発明の第２の実施の形態におけるヒートローラの表面温度制御の内容を示したフローチャートである。
【００３６】
第２の実施の形態による画像形成装置の概略構成は，先の第１の実施の形態によるものと同一である。又、第１の実施の形態では、装置の温まり具合をヒートローラ２７の表面温度の上昇時間に基づいて判断しているが、第２の実施の形態では、プレスローラ２８の表面温度に基づいて判断している点が相違する。以下、第１の実施の形態におけるヒートローラ２７の表面温度制御と相違する点を中心に説明する。
【００３７】
図４を参照して、第１の実施の形態と同様に、複写開始ボタンが押された後（Ｓ２００）、ヒータ２９を作動させる（Ｓ２０１）。次に、プリンタコントローラ１１は、第２温度検出手段により温度センサ３２からの信号を受信してプレスローラ２８の表面温度Ｔｐを検出する（Ｓ２０２）。次に、ステップＳ２０２で検出された表面温度Ｔｐが第２所定温度Ｔ２以下であれば、即ちＴｐ≦Ｔ２であれば（Ｓ２０３でＹｅｓ）、プリンタコントローラ１１は、ヒートローラ２７の表面温度Ｔｒを検出する（Ｓ２０４）。ここで、上記第２所定温度Ｔ２は、Ｔ２以下であれば装置が温まっていないと判断される温度である。次に、ステップＳ２０４で検出された表面温度Ｔｒが定着温度Ｔ１に達した後（Ｓ２０５でＹｅｓ）、プリンタコントローラ１１は、第１の実施の形態と同様に、第２制御手段により第１所定時間Ｌ１経過後に予め設定された第２所定時間Ｌ２の間ヒータ２９を停止させ（Ｓ２０６）、第２所定時間Ｌ２経過後に予め設定された第３所定時間Ｌ３の間ヒータ２９を作動させる（Ｓ２０７）。以降、第１の実施の形態のステップＳ１０８からステップＳ１１０と同様に制御する（Ｓ２０８からＳ２１０）。
【００３８】
ステップＳ２０３でＴｐ≦Ｔ２でなければ（Ｓ２０３でＮｏ）、プリンタコントローラ１１は、ヒートローラ２７の表面温度Ｔｒを検出して、第１制御手段によりヒータ２９を制御する（Ｓ２０９、Ｓ２１０）。
【００３９】
第２の実施の形態にあっても、図３Ａで示したタイムチャートと同様となり、複写開始ボタンが押された後、プレスローラ２８の表面温度Ｔｐが第２所定温度Ｔ２以下であれば、装置が温まっていないと判断される。そして、装置が温まっていない場合に、表面温度Ｔｒが定着温度Ｔ１より高い状態でヒータ２９が作動するため、複写開始ボタンを押した後の最初の温度リップル最下点時の表面温度Ｔｒを上昇させることができる。よって、装置が温まっていない場合の記録紙１枚目の印字において、上記最初の温度リップル最下点時に局部的にトナー像の定着性が劣ることを防止することができる。又、表面温度Ｔｒが定着温度Ｔ１より高い状態で所定時間ヒータ２９が作動するため、ヒータ２９がすぐに停止してしまうのを防止し、上記最初の温度リップル最下点時のヒートローラ２７の表面温度Ｔｒを確実に上昇させることができる。
【００４０】
尚、上記の各実施の形態では、ヒートローラの表面又はプレスローラの表面に温度センサを接触させて表面温度を検出しているが、必ずしもこのように構成する必要はなく、表面に温度センサを接触させずに表面温度を検出してもよい。
【図面の簡単な説明】
【００４１】
【図１】この発明の第１の実施の形態による画像形成装置の概略構成を示したブロック図である。
【図２】この発明の第１の実施の形態におけるヒートローラの表面温度制御の内容を示したフローチャートである。
【図３】ヒートローラの表面温度Ｔｒ、ヒータ及び記録紙の関係を示したタイムチャートであって、図３Ａが図１で示した画像形成装置におけるタイムチャートであり、図３Ｂが従来の画像形成装置におけるタイムチャートである。
【図４】この発明の第２の実施の形態におけるヒートローラの表面温度制御の内容を示したフローチャートである
【符号の説明】
【００４２】
１０    画像形成装置
２７    ヒートローラ
２８    プレスローラ
２９    ヒータ
【図１】
2009086461.tif 000003
【図２】
2009086461.tif 000004
【図３】
2009086461.tif 000005
【図４】
2009086461.tif 000006